(57)【特許請求の範囲】
【請求項１】
釣竿に装着され、ロータの逆転を禁止するためのローラクラッチが収納され、前記ロータの回転により釣り糸を巻き取り可能なスピニングリールのリール本体であって、
前記釣竿に装着される竿取付脚部と、
側部が開口し各種の機構が内部に収納される収納空間が形成された本体部材と、前記本体部材の開口を覆うように前記本体部材に着脱自在に取り付けられる蓋部材と、前記本体部材の前部に設けられた前記ローラクラッチが収納される密封空間及び前記密封空間と外部とを連通し前記ローラクラッチを臨むように配置され前記蓋部材によって閉塞可能なメンテナンス孔が形成された有底筒状の筒状部とを有し、前記竿取付脚部と連設されるリールボディと、
を備えたスピニングリールのリール本体。
【請求項２】
前記蓋部材は着脱自在な小蓋部材をさらに有しており、前記メンテナンス孔は前記小蓋部材によって閉塞される、請求項１に記載のスピニングリールのリール本体。
【請求項３】
前記竿取付脚部は前記本体部材と一体成形されている、請求項１又は２に記載のスピニングリールのリール本体。
【請求項４】
前記竿取付脚部は前記蓋部材と一体成形されている、請求項１又は２に記載のスピニングリールのリール本体。
【請求項５】
前記メンテナンス孔は前記ローラクラッチのオン、オフ操作を行う操作部材を挿通可能な操作孔である、請求項１から４のいずれかに記載のスピニングリールのリール本体。
【発明の詳細な説明】
【０００１】
【発明の属する技術分野】
本発明は、リール本体、特に、ロータの逆転を禁止するためのローラクラッチが収納されるスピニングリールのリール本体に関する。
【０００２】
【従来の技術】
スピニングリールは、一般に、釣竿に装着されるリール本体と、リール本体に回転自在に取り付けられたハンドルと、リール本体に回転自在に装着されたロータと、ロータの前方でリール本体に前後移動自在に装着され、ロータによって案内された釣り糸が外周に巻き付けられるスプールとを有している。
【０００３】
リール本体は、釣竿に装着されるＴ字状の竿取付脚部と、竿取付脚部と一体成形され、内部に各種の機構が収納されるリールボディとを備えている。リールボディは、側部が開口する収納空間を内部に有する本体部材と、本体部材の開口を覆うように着脱自在に本体部材に装着された蓋部材と、本体部材の前部に設けられたローラクラッチが収納される有底筒状の筒状部とを有している。ローラクラッチはロータの逆転を禁止するために設けられ、筒状部の前部にはローラクラッチ内部に浸水するのを防止するためのシール部材が装着されている。
【０００４】
【発明が解決しようとする課題】
前記従来のローラクラッチが収納されたリール本体では、筒状部の前部にシール部材が装着されているので、ローラクラッチを防水できる。しかし、毛細管現象等によりシール部材の僅かな隙間から筒状部の内部に浸水した場合、筒状部の内部に溜まった水を外部に抜きにくい。
【０００５】
本発明の課題は、スピニングリールのリール本体において、容易に水抜きを行えるようにすることにある。
【０００６】
【課題を解決するための手段】
発明１に係るスピニングリールのリール本体は、釣竿に装着され、ロータの逆転を禁止するためのローラクラッチが収納されロータの回転により釣り糸を巻き取り可能なスピニングリールのリール本体であって、釣竿に装着される竿取付脚部と、竿取付脚部と連設されるリールボディとを備えている。リールボディは、側部が開口し各種の機構が内部に収納される収納空間が形成された本体部材と、本体部材の開口を覆うように本体部材に着脱自在に取り付けられる蓋部材と、本体部材の前部に設けられたローラクラッチが収納される密封空間及び密封空間と外部とを連通しローラクラッチを臨むように配置され蓋部材によって閉塞可能なメンテナンス孔が形成された有底筒状の筒状部とを有している。
【０００７】
このリール本体では、筒状部には密封空間と外部とを連通しローラクラッチを臨むように配置されたメンテナンス孔が形成されている。ここでは、ローラクラッチの内部に浸水した場合、蓋部材を取り外してメンテナンス孔を露出させ、このメンテナンス孔により水抜きを行う。なお、通常のリール使用時は、蓋部材によりメンテナンス孔が閉塞されているので、メンテナンス孔からの浸水を防止できる。このように、特にローラクラッチの前部にシール部材が設けられていた場合でも、たとえば筒状部後部の底部に形成されたメンテナンス孔により、容易に水抜きを行うことができる。
【０００８】
なお、メンテナンス孔は、前述したように水抜き穴として機能するだけでなく、ローラクラッチ等に注油するための注油口としても機能させることも可能である。
発明２に係るリール本体は、発明１のリール本体において、蓋部材は着脱自在な小蓋部材をさらに有しており、メンテナンス孔は小蓋部材によって閉塞される。この場合は、メンテナンス孔を外部に露出させるために、わざわざ蓋部材を取り外す必要がないので、容易に水抜きを行うことができる。
【０００９】
発明３に係るリール本体は、発明１又は２のリール本体において、竿取付脚部は本体部材と一体成形されている。この場合は、竿取付脚部と本体部材とが一体成形されているので、蓋部材の構成が簡素になる。
発明４に係るリール本体は、発明１から３のいずれかのリール本体において、竿取付脚部は蓋部材と一体成形されている。この場合は、竿取付脚部と蓋部材とが一体成形されているので、厚肉部分と薄肉部分との混在を少なくして本体部材を薄肉にして精度を高く維持し、取付脚部を厚肉にして強度を維持できるようになる。
【００１０】
発明５に係るリール本体は、発明１から４のいずれかのリール本体において、メンテナンス孔はローラクラッチのオン、オフ操作を行う操作部材を挿通可能な操作孔である。この場合は、外部から切り換えできないタイプのローラクラッチにおいて、治具等の操作部材を操作孔に挿入して切り換え操作を行うことにより、たとえばローラクラッチを筒状部に装着する時に逆転を許容できるように切り換えることができる。ここでは、メンテナンス孔と操作孔とを兼用することにより、筒状部の構成が簡素になる。
【００１１】
【発明の実施の形態】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１２】
リール本体２は、図２に示すように、リールボディ２ａと、リールボディ２ａから斜め上前方に延びる竿取付脚２ｂとを有している。リールボディ２ａの内部には、図２に示すように、収納空間２ｃを有しており、その収納空間２ｃには、ロータ３をハンドル１の回転に連動して回転させるロータ駆動機構５と、スプール４を前後に移動させて釣り糸を均一に巻き取るためのオシレーティング機構６とが設けられている。
【００１３】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００１４】
第２ロータアーム３２は、円筒部３０から外方に凸に湾曲して前方に延びており、円筒部３０との接続部は円筒部３０の周方向に広がり湾曲している。第２ロータアーム３２の先端外周側には、第２ベール支持部材４２が揺動自在に装着されている。
ラインローラ４１と第２ベール支持部材４２との間には線材を略Ｕ状に湾曲させた形状のベール４３が固定されている。これらの第１ベール支持部材４０及び第２ベール支持部材４２、ラインローラ４１、ベール４３により釣り糸をスプール４に案内するベールアーム４４が構成される。ベールアーム４４は、図２に示す糸案内姿勢とそれから反転した糸開放姿勢との間で揺動自在である。
【００１５】
スプール４は、図２に示すように、ロータ３の第１ロータアーム３１と第２ロータアーム３２との間に配置されている。スプール４は、たとえばアルミニウム合金を鍛造成形して得られた大小２段の円筒状の部材であり、外周に釣り糸が巻かれる筒状の糸巻胴部４ａと、糸巻胴部４ａの後部に一体成形された大径筒状のスカート部４ｂとを有している。
【００１６】
ロータ駆動機構５は、図２に示すように、ハンドル１が連結されたハンドル軸１０とともに回転するマスターギア１１と、このマスターギア１１に噛み合うピニオンギア１２とを有している。ピニオンギア１２は筒状に形成されており、ピニオンギア１２の前部はロータ３の中心部を貫通してナットによりロータ３と固定されている。ピニオンギア１２は、その軸方向の中間部と後端部とが、それぞれ軸受を介してリール本体２に回転自在に支持されている。また、ピニオンギア１２の前部には所定長さの平行な面取り部が形成されており、これによりロータ３とピニオンギア１２とが回転不能に連結されている。
【００１７】
オシレーティング機構６は、図２に示すように、スプール４の中心部にドラグ機構８を介して連結されたスプール軸１５を前後方向に移動させてスプール４を同方向に移動させるための機構である。このオシレーティング機構６は、スプール軸１５の下方に平行に配置された螺軸１６と、螺軸１６に沿って前後方向に移動するスライダ１７と、螺軸１６の先端に固定された中間ギア１８とを有している。スライダ１７にはスプール軸１５の後端が回転不能に固定されている。中間ギア１８は、図３に示すように、減速機構７を介してピニオンギア１２からの回転が伝達され得るようになっている。
【００１８】
リールボディ２ａは、図１及び図２に示すように、竿取付脚２ｂと一体成形された側部が開口し内部に前述の収納空間２ｃを有する本体部材２０と、本体部材２０側部の開口を塞ぐように本体部材２０にねじ止めされる蓋部材２１と、蓋部材２１に着脱可能に取り付けられる小蓋部材２２と、本体部材２０及び蓋部材２１の後方外形に沿って装着されるカバー部材２３とを有している。そして、リールボディ２ａは、本体部材２０の前端に突出して形成され先端に開口を有する有底筒状の筒状部２６を有している。筒状部２６は、ロータ３の逆転を禁止するローラクラッチ５１が収納される密封空間を有している。
【００１９】
蓋部材２１には、図３に示すように、本体部材２０内部の収納空間２ｃに設けられた外部と連通する孔部２４が形成されている。孔部２４はマスターギア１１とピニオンギア１２との噛み合い部分近傍に配置されている。孔部２４の内周には、小蓋部材２２を蓋部材２１にねじ止めし、かつ孔部２４を閉塞するためのねじ部材５０が螺合する雌ねじが形成されている。ねじ部材５０は、胴部周方向に沿って環状の溝部５０ａが形成されており、この溝部５０ａにたとえばＯリング等の防水部材６０が装着されている。
【００２０】
カバー部材２３は、図２に示すように、本体部材２０及び蓋部材２１の下部から後部さらに竿取付脚２ｂにかけてリール本体２を覆うように配置されている。カバー部材２３は、本体部材２０及び蓋部材２１の突き合わせ接合される接合面にねじ止め固定されている。
筒状部２６は、図２及び図５に示すように、先端が開口する大小２つの筒状部材からなる２段構造の円筒形の部分である。筒状部２６の底部分には、図２から図５に示すように、ローラクラッチ５１を臨むように密封空間と外部とを貫通するメンテナンス孔２６ｆが形成されている。
【００２１】
メンテナンス孔２６ｆは、図３及び図４に示すように、筒状部２６の底部分に形成された断面長穴形状の貫通孔であり、小蓋部材２２によって閉塞される位置に配置されている。ここでは、図３に示すように、小蓋部材２２を蓋部材２１から取り外す際ねじ部材５０を外したときに、メンテナンス孔２６ｆが外部に露出するようになっている。メンテナンス孔２６ｆは、図４及び図５に示すように、ローラクラッチ５１のオン、オフ操作を行う治具等の操作部材を挿通可能な操作孔としても機能する。このローラクラッチ５１は、外部から切り換えできないタイプであるので、治具をメンテナンス孔２６ｆに挿入して後述する保持部材５８に設けられた切換部５８ｄを切り換え操作することにより、たとえばローラクラッチ５１を筒状部２６に組み付ける時に逆転を許容できるように切り換えることができる。
【００２２】
ローラクラッチ５１は、筒状部２６に収納され、ロータ３の逆転を禁止する逆転禁止状態と逆転を許可する逆転許可状態とをとり得る。ローラクラッチ５１は、図５から図７に示すように、筒状部２６に相対回転不能に装着された外輪５５と、ピニオンギア１２の外周に回転不能に装着された内輪５６と、ステンレス合金製の複数のローラ５７とを有している。外輪５５の前部には、外輪５５に接触して外輪５５とローラ５７とを覆うシール部材６５が設けられている。
【００２３】
外輪５５は、図５に示すように、ステンレス合金製の厚肉リング状の部材であり、外周部に複数の突出部５５ａを有している。これらの突出部５５ａは筒状部２６内周側に形成された凹部２６ｅに係合している。
外輪５５の後方において、図５に示すように、筒状部２６の内部には、回動自在な保持部材５８が収納されている。保持部材５８は、複数のローラ５７を周方向に間隔を隔てて保持する部材であり、略円板状の本体部５８ａと、本体部５８ａから軸方向前方に突出する複数の突出部５８ｂとを有している。複数の突出部５８ｂは、周方向に等角度間隔で形成されており、隣接する突出部５８ｂの間に複数のローラ５７が配置されている。
【００２４】
このような状態では、複数のローラ５７は、外輪５５と内輪５６との間に配置され、保持部材５８により円周方向に移動させられて両輪の間に食い込む作動位置と両輪の間で遊転する非作動位置とをとり得る。また複数のローラ５７は、保持部材５８に対して軸方向前方から組み付け可能である。なお、ローラ５７が作動位置にあるクラッチオン状態では、外輪５５に対して内輪５６は糸繰り出し方向にのみ相対回転が不能であり、ローラ５７が非作動位置にあるクラッチオフ状態では、外輪５５に対して内輪５６は両方向に相対回転自在である。
【００２５】
また、複数のローラ５７は、図６及び図７に示すように、コイルばね５９によって作動位置側に付勢されている。コイルばね５９は、突出部５８ｂの一側面に形成された凹穴５８ｃに収納されており、ローラ５７を作動位置側に付勢している。コイルばね５９は、図７に示すように、凹穴５８ｃの奥側に取り付けられる端部５９ａのコイル径は他の部分のコイル径が大きくなるように形成されている。このため、保持部材５８にシール部材６５を取り付けたときに、端部５９ａの一部が壁面に当接するので、コイルばね５９の浮きを防止できる。
【００２６】
保持部材５８は、図４及び図５に示すように、ローラクラッチ５１の後方からオン、オフを切り換え可能な切換部５８ｄを有している。切換部５８ｄは、通常、リールの外側から操作できないように内部に埋設されている。このような切換部５８ｄを操作するには、切換部５８ｄに治具等の操作部材を引っ掛けて切換部５８ｄを回転させる。ここでは、ローラクラッチ５１を組み込んだ状態でメンテナンス孔２６ｆに治具を挿通し切換部５８ｄを操作できる。
【００２７】
内輪５６は、図５に示すように、ステンレス合金製の段差を有する筒状の部材であり、小径側の内周面にはピニオンギア１２に形成された面取り部分に係合する小判孔５６ａが形成されている。内輪５６の大径側の外周面にはローラ５７に接触する大径の接触部５６ｂが形成され、内輪５６の小径側の外周面には環状の係止溝５６ｃが形成されている。
【００２８】
シール部材６５は、図５に示すように、外輪５５及びローラ５７の軸方向前方への移動を規制するとともに、筒状部２６の内部を水密にシールするために設けられたリング状の単純な形状の部材である。シール部材６５は、外輪５５及びローラ５７の前方に筒状部２６の内周面とに接触して配置されている。シール部材６５は、筒状部２６に嵌め込まれた抜け止めばね６６により前方への移動を規制されている。抜け止めばね６６は、弾性を有する金属製の線材を五角形に折り曲げて形成されている。この抜け止めばね６６によって軸方向前方にシール部材６５が移動するのを規制することにより、ローラクラッチ５１全体の軸方向の移動を規制している。
【００２９】
このように構成されたスピニングリールでは、筒状部２６にはローラクラッチ５１を臨むように配置されたメンテナンス孔２６ｆが形成されている。ここでは、ローラクラッチ５１の内部に浸水した場合、小蓋部材２２を取り外してメンテナンス孔２６ｆを外部に露出させ、このメンテナンス孔２６ｆにより水抜きを行う。このように、ローラクラッチ５１の前部にシール部材６５が設けられている場合でも、筒状部２６の底部分に形成されたメンテナンス孔２６ｆにより、容易に水抜きを行うことができる。
【００３０】
〔他の実施形態〕
（ａ）  前記実施形態では、フロントドラグ型のスピニングリールを例にあげて説明したが、このスピニングリールの形式に限定されるものではなく、この他にレバー式のドラグ機構を有するスピニングリールや、リアドラグ型のスピニングリール等にも本発明を適用できる。
【００３１】
（ｂ）  前記実施形態では、メンテナンス孔２６ｆは、水抜き穴として機能させていたが、ローラクラッチ５１に注油するための注油口としても機能させることができる。
（ｃ）  前記実施形態では、本体部材２０が竿取付脚２ｂと一体成形されていたが、蓋部材２１が竿取付脚２ｂと一体成形されていてもよい。
【００３２】
【発明の効果】
本発明によれば、スピニングリールのリール本体において、筒状部にはローラクラッチを臨むように配置されたメンテナンス孔が形成されているので、水抜きを容易に行うことができる。
【図面の簡単な説明】
【図１】本発明の一実施形態を採用したスピニングリールの左側面図。
【図２】前記スピニングリールの左側面断面図。
【図３】前記スピニングリールの背面断面図。
【図４】前記スピニングリールの背面図。
【図５】ローラクラッチの分解斜視図。
【図６】前記ローラクラッチの拡大正面断面図。
【図７】前記ローラクラッチの拡大側面断面図。
【符号の説明】
２  リール本体
２ａ  リールボディ
２ｂ  竿取付脚
２ｃ  収納空間
３  ロータ
２０  本体部材
２１  蓋部材
２２  小蓋部材
２６  筒状部
２６ｆ  メンテナンス孔
５１  ローラクラッチ
【図１】
0003884307.tif 000002
【図２】
0003884307.tif 000003
【図３】
0003884307.tif 000004
【図４】
0003884307.tif 000005
【図５】
0003884307.tif 000006
【図６】
0003884307.tif 000007
【図７】
0003884307.tif 000008